(57)【要約】【課題】利用者が外部端末から画像形成装置にジョブの処理を要求する際に、節電効果を得ながら、印刷状況を容易に確認できる技術を提供すること。【解決手段】情報端末と、前記情報端末から受信したジョブを実行する画像形成装置と、を有する情報処理システムにおいて、前記情報端末または前記画像形成装置は、前記ジョブの状態を示す状態情報を表示する際に、前記状態情報を、前記情報端末と前記画像形成装置のどちらに表示するかを決定する決定部と、前記決定された一方に、前記状態情報を表示する制御部と、を備えることにより上記課題を解決する。【選択図】図８
2020013606.tif 000002
【特許請求の範囲】
【請求項１】
情報端末と、
前記情報端末から受信したジョブを実行する画像形成装置と、
を有し、
前記情報端末または前記画像形成装置は、前記ジョブの状態を示す状態情報を表示する際に、前記状態情報を、前記情報端末と前記画像形成装置のどちらに表示するかを決定する決定部と、
前記決定された一方に、前記状態情報を表示する制御部と、
を備える情報処理システム。
【請求項２】
前記制御部は、
前記状態情報を表示する一方が決定されると、他方の表示部をオフに制御する、
請求項１記載の情報処理システム。
【請求項３】
前記情報端末または前記画像形成装置は、
前記決定部に、前記状態情報を前記情報端末と前記画像形成装置のどちらに表示するかを設定する操作部を備える、
請求項１または２記載の情報処理システム。
【請求項４】
前記情報端末または前記画像形成装置は、
前記情報端末と前記画像形成装置との間の距離を判断する距離判断部を備え、
前記決定部は、
前記情報端末と前記画像形成装置との間の距離に基づいて、前記状態情報を前記情報端末と前記画像形成装置のどちらに表示するかを決定する、
請求項１乃至３のいずれか一項に記載の情報処理システム。
【請求項５】
前記情報端末は、
現在の位置情報を取得する位置情報取得部を備え、
前記距離判断部は、
前記位置情報取得部により取得された位置情報と、予め設定されている前記画像形成装置の位置情報とに基づいて、前記距離を判断する、
請求項４記載の情報処理システム。
【請求項６】
前記画像形成装置は、
前記情報端末または前記情報端末の利用者を検知する検知部を備え、
前記距離判断部は、
前記検知部により検知した結果に基づいて、前記距離を判断する、
請求項４記載の情報処理システム。
【請求項７】
前記決定部は、
前記情報端末の電力の残量に基づいて、前記状態情報を前記情報端末と前記画像形成装置のどちらに表示するかを決定する、
請求項１乃至６のいずれか一項に記載の情報処理システム。
【請求項８】
前記決定部は、
前記ジョブの種別、または前記状態情報の内容に基づいて、前記状態情報を前記情報端末と前記画像形成装置のどちらに表示するかを決定する、
請求項１乃至７のいずれか一項に記載の情報処理システム。
【請求項９】
情報端末と、前記情報端末から受信したジョブを実行する画像形成装置とを有する情報処理システムにおける表示制御方法であって、
前記情報端末または前記画像形成装置が、前記ジョブの状態を示す状態情報を表示する際に、前記状態情報を、前記情報端末と前記画像形成装置のどちらに表示するかを決定するステップと、
前記決定された一方に、前記状態情報を表示するステップと、
を有する表示制御方法。
【発明の詳細な説明】
【技術分野】
【０００１】
本発明は、情報処理システム、及び表示制御方法に関する。
【背景技術】
【０００２】
利用者が、パーソナルコンピュータ等の外部端末から、画像形成装置に印刷要求を行う技術が知られている。
【０００３】
また、画像形成装置において、外部端末から印刷要求を受けた場合、利用者は画像形成装置から遠隔の位置にいることが多いため、自装置の表示部を非表示とし、外部端末から表示要求を受けると自装置の表示部に印刷状況を表示することにより、節電効果を得る技術が知られている（特許文献１参照）。
【発明の概要】
【発明が解決しようとする課題】
【０００４】
しかし、従来の技術では、画像形成装置の表示部のみに印刷状況を表示しているため、利用者は画像形成装置の近傍に行かないと印刷状況を確認することができない。
【０００５】
そこで、利用者が外部端末から画像形成装置にジョブの処理を要求する際に、節電効果を得ながら、印刷状況を容易に確認できる技術を提供することを目的とする。
【課題を解決するための手段】
【０００６】
情報端末と、前記情報端末から受信したジョブを実行する画像形成装置と、を有する情報処理システムを提供する。この情報処理システムにおいて、前記情報端末または前記画像形成装置は、前記ジョブの状態を示す状態情報を表示する際に、前記状態情報を、前記情報端末と前記画像形成装置のどちらに表示するかを決定する決定部と、前記決定された一方に、前記状態情報を表示する制御部と、を備える。
【発明の効果】
【０００７】
開示の技術によれば、利用者が外部端末から画像形成装置にジョブの処理を要求する際に、節電効果を得ながら、印刷状況を容易に確認することが可能となる。
【図面の簡単な説明】
【０００８】
【図１】第１の実施形態に係る情報処理システムの構成図である。
【図２】第１の実施形態に係る情報端末のハードウェア構成図である。
【図３】第１の実施形態に係る画像形成装置のハードウェア構成図である。
【図４】第１の実施形態に係る情報端末の機能構成図である。
【図５】第１の実施形態に係る画像形成装置の機能構成図である。
【図６】第１の実施形態に係る情報端末及び画像形成装置の電力状態について説明する図である。
【図７】第１の実施形態に係る情報端末及び画像形成装置の電力状態の遷移図である。
【図８】第１の実施形態に係る情報処理システムで、画像形成装置側に表示する場合のシーケンス図である。
【図９】画像形成装置側に表示する場合の表示画面の例を示す図である。
【図１０】第１の実施形態に係る情報処理システムで、情報端末側に表示する場合のシーケンス図である。
【図１１】情報端末側に表示する場合の表示画面の例を示す図である。
【図１２】第２の実施形態に係る情報端末の機能構成図である。
【図１３】第２の実施形態に係る画像形成装置の機能構成図である。
【図１４】第２の実施形態に係る情報処理システムで、画像形成装置側に表示する場合のシーケンス図である。
【図１５】第２の実施形態に係る情報処理システムで、情報端末側に表示する場合のシーケンス図である。
【図１６】第３の実施形態に係る情報端末のハードウェア構成図である。
【図１７】第３の実施形態に係る情報端末の機能構成図である。
【図１８】画像形成装置の位置情報を登録する際の表示画面の一例を示す図である。
【図１９】第３の実施形態に係る表示先決定部の処理のフローチャートである。
【図２０】第３の実施形態に係る情報処理システムで、情報端末または画像形成装置に表示する場合のシーケンス図である。
【図２１】第４の実施形態に係る画像形成装置のハードウェア構成図である。
【図２２】第４の実施形態に係る画像形成装置の機能構成図である。
【図２３】第４の実施形態に係る表示先決定部の処理のフローチャートである。
【図２４】第５の実施形態に係る情報端末の機能構成図である。
【図２５】第５の実施形態に係る表示先決定部の処理のフローチャートである。
【図２６】第５の実施形態に係る情報処理システムで、情報端末側に表示する場合のシーケンス図である。
【図２７】ジョブ種別／表示先設定情報の一例を示す図である。
【図２８】情報を表示させる装置を設定する際のシーケンス図である。
【図２９】画像形成装置側の画面にて、情報を表示させる装置を設定する際の表示画面の例である。
【図３０】情報端末側の画面にて、情報を表示させる装置を設定する際の表示画面の例である。
【図３１】表示先決定部に設定される、表示画面指示リストの一例を示す図である。
【発明を実施するための形態】
【０００９】
実施形態では、情報端末から受信したジョブの状態を示す状態情報を表示する際に、情報端末と画像形成装置のいずれの画面に表示するかを決定する。
【００１０】
＜第１の実施形態＞
第１の実施形態では、画像形成装置が、情報端末から受信したジョブの状態を示す状態情報を表示する際に、情報端末と画像形成装置のいずれの画面に表示するかを決定する。
【００１１】
図１は、第１の実施形態に係る情報処理システム１の構成図である。情報処理システム１は、情報端末２と、画像形成装置３とをネットワーク４で接続している。
【００１２】
情報端末２は、例えば、スマートフォン、携帯電話、タブレット、パーソナルコンピュータ等の端末である。画像形成装置３は、例えば、複合機（ＭＦＰ）、コピー機、プリンタ、スキャナ等の装置である。ネットワーク４は、例えば、無線ＬＡＮ（Local Area Network）、ＬＡＮ、インターネット、携帯電話網等の通信網である。
【００１３】
図２は、第１の実施形態に係る情報端末２のハードウェア構成図である。
【００１４】
情報端末２は、それぞれバスＢで相互に接続されている操作部２０１、表示部２０２、通信インターフェイス（Ｉ／Ｆ）２０３、記憶装置２０４、ＣＰＵ（Central Processing Unit；演算処理装置）２０５、電源２０６を備える。
【００１５】
操作部２０１及び表示部２０２は、例えばタッチパネルのタッチパッド及び液晶パネル等であり、それぞれ利用者の入力を受け付け、画面に情報を表示する。表示部２０２は、液晶パネルのバックライトへの電力の供給をオン／オフする等により、表示をオン／オフする。
【００１６】
通信Ｉ／Ｆ２０３は、モデム、ＬＡＮカード等を含み、ネットワーク４に接続する為に用いられる。
【００１７】
記憶装置２０４は、操作情報や通信情報等、各種の情報を記憶する。
【００１８】
ＣＰＵ２０５は、情報端末２の各部を制御する。ＣＰＵ２０５による制御の少なくとも一部がソフトウェアで実行される場合は、記憶装置２０４に制御プログラムが格納されてもよい。
【００１９】
電源２０６は、電源線２０７を介して、操作部２０１、表示部２０２、通信Ｉ／Ｆ２０３、記憶装置２０４、及びＣＰＵ２０５に電力を供給し、また、個別に電力の供給量を低減し、停止させる。
【００２０】
図３は、第１の実施形態に係る画像形成装置３のハードウェア構成図である。
【００２１】
画像形成装置３は、それぞれバスＢで相互に接続されている操作部３０１、表示部３０２、通信インターフェイス（Ｉ／Ｆ）３０３、記憶装置３０４、ＣＰＵ３０５、エンジン３０６、電源３０７を備える。
【００２２】
操作部３０１及び表示部３０２は、例えばタッチパネルのタッチパッド及び液晶パネル等であり、それぞれ利用者の入力を受け付け、画面に情報を表示する。表示部３０２は、液晶パネルのバックライトへの電力の供給をオン／オフする等により、表示をオン／オフする。
【００２３】
通信Ｉ／Ｆ３０３は、ネットワーク４を介して情報端末２と通信を行う。
【００２４】
記憶装置３０４は、操作情報や通信情報等、各種の情報を記憶する。
【００２５】
ＣＰＵ３０５は、画像形成装置３の各部を制御する。ＣＰＵ３０５による制御の少なくとも一部がソフトウェアで実行される場合は、記憶装置３０４に制御プログラムが格納されてもよい。
【００２６】
エンジン３０６は、例えばプロッタエンジンやスキャナエンジンであり、印刷や読み取りを行う装置である。
【００２７】
電源３０７は、電源線３０８を介して、操作部３０１、表示部３０２、通信Ｉ／Ｆ３０３、記憶装置３０４、ＣＰＵ３０５、及びエンジン３０６に電力を供給し、また、個別に電力の供給量を下げたり停止させる。
【００２８】
図４は、第１の実施形態に係る情報端末２の機能構成図である。
【００２９】
情報端末２は、通信制御部２１、ＵＩ(User Interface)制御部２２、電源制御部２３を備える。これら各部は、情報端末２にインストールされた１以上のプログラムが、情報端末２のＣＰＵ２０５に実行させる処理により実現される。
【００３０】
通信制御部２１は、図２の通信Ｉ／Ｆ２０３を制御して、画像形成装置３との通信を制御する。そして、画像形成装置３にジョブを送信する。また、画像形成装置３から、ジョブの状態情報を受信する。ジョブの状態情報は、ジョブの状態を示す情報であり、例えば、ジョブの進行状況、ジョブの終了結果、印刷ジャム等のエラーが発生したことを示すエラーメッセージ、及びエラーを解決する手順を示すメッセージ等が含まれる。
【００３１】
ＵＩ制御部２２は、図２の操作部２０１、表示部２０２を制御して、利用者の入力を受け付け、利用者に情報を表示する。例えば、ジョブ制御部３４から通知されたジョブ状態情報を表示する。
【００３２】
電源制御部２３は、図２の電源２０６を制御して、情報端末２に供給する電力量を制御する。
【００３３】
図５は、第１の実施形態に係る画像形成装置３の機能構成図である。
【００３４】
画像形成装置３は、通信制御部３１、ＵＩ制御部３２、電源制御部３３、ジョブ制御部３４、表示先決定部３５を備える。これら各部は、画像形成装置３にインストールされた１以上のプログラムが、画像形成装置３のＣＰＵ３０５に実行させる処理により実現される。
【００３５】
通信制御部３１は、図３の通信Ｉ／Ｆ３０３を制御して、情報端末２との通信を制御する。そして、情報端末２からジョブを受信する。また、情報端末２に、ジョブの状態情報を送信する。
【００３６】
ＵＩ制御部３２は、図３の操作部３０１、表示部３０２を制御して、利用者の入力を受け付け、利用者に情報を表示する。例えば、ジョブ制御部３４から通知されたジョブ状態情報を表示する。
【００３７】
電源制御部３３は、図３の電源３０７を制御して、画像形成装置３に供給する電力量を制御する。
【００３８】
ジョブ制御部３４は、図３のエンジン３０６を制御して、読取動作または印刷動作をするジョブを実行する。またジョブの状態情報を生成し、ＵＩ制御部３２に表示させる。
【００３９】
表示先決定部３５は、情報端末２及び画像形成装置３の中から、情報を表示させる装置を決定する。例えば、情報端末２及び画像形成装置３のうち、予め設定された装置を、情報を表示させる装置として決定する。なお、情報を表示させる装置の設定は、画像形成装置３側の画面または、情報端末２側の画面にて行えるようにしてもよい。
【００４０】
図６は、第１の実施形態に係る情報端末２及び画像形成装置３の電力状態について説明する図である。図６（Ａ）は情報端末２、図６（Ｂ）画像形成装置３の電力状態について説明する図である。情報端末２及び画像形成装置３の電源制御部２３、３３は、「起動」、「プレ起動」、「省エネ」、「停止」の電力状態に制御する。
【００４１】
「起動」状態は、最も消費電力が高く、全てのハードウェアに電力を供給する状態である。
【００４２】
「プレ起動」状態は、「起動」状態よりも消費電力が低く、表示部２０２、３０２以外に電力を供給する。
【００４３】
「省エネ」状態は、「プレ起動」状態よりも消費電力が低く、操作部２０１、３０１、通信Ｉ／Ｆ２０３、３０３に電力を供給する。
【００４４】
「停止」状態は、最も消費電力が低く、どこにも電力を供給しない状態である。
【００４５】
図７は、第１の実施形態に係る情報端末２及び画像形成装置３の電力状態の遷移図である。
【００４６】
「停止」状態で、ＵＩ制御部２２、３２の電源ボタンが押されると、「起動」状態に遷移する。また、「起動」状態で、ＵＩ制御部２２、３２の電源ボタンが押されると、「停止」状態に遷移する。
【００４７】
「起動」状態で、ＵＩ制御部２２、３２で「プレ起動」への移行を指示する操作が行われると、「プレ起動」状態に遷移する。
【００４８】
情報端末２は、「起動」状態及び「プレ起動」状態で、所定時間内にＵＩ制御部２２の操作が行われない場合、「省エネ」状態に遷移する。
【００４９】
画像形成装置３は、「起動」状態及び「プレ起動」状態で、所定時間内にＵＩ制御部３２の操作が行われない場合、かつジョブ制御部３４がジョブを実行中でない場合に、「省エネ」状態に遷移する。
【００５０】
情報端末２は、「省エネ」状態で、ＵＩ制御部２２の操作が行われると、「プレ起動」状態に遷移する。
【００５１】
画像形成装置３は、「省エネ」状態で、ＵＩ制御部３２の操作が行われた場合、または、ジョブ制御部３４から「プレ起動」状態への遷移を要求された場合、「プレ起動」状態に遷移する。
【００５２】
「プレ起動」状態で、ＵＩ制御部２２、３２の操作が行われると、「起動」状態に遷移する。
【００５３】
図８は、第１の実施形態に係る情報処理システム１で、画像形成装置３側に表示する場合のシーケンス図である。この場合、表示先決定部３５には、情報を表示させる装置として画像形成装置３が予め設定されている。なお、以下では、印刷を例として説明するが、コピー、スキャン、その他の機能のジョブについても、同様に実施できる。また、図の左端に情報端末２の電力状態、右端に画像形成装置３の電力状態を示す。
【００５４】
まず、情報端末２の電力状態は「起動」であり、画像形成装置３の電力状態は「省エネ」であるとする。
【００５５】
情報端末２は、利用者からの操作に応じて印刷を開始すると、通信制御部２１を介して、画像形成装置３に印刷ジョブを送る（ステップＳ１０１）。
【００５６】
画像形成装置３の通信制御部３１が、受信した印刷ジョブをジョブ制御部３４に通知し、（ステップＳ１０２）、ジョブ制御部３４が、印刷ジョブを開始する（ステップＳ１０３）。ジョブ制御部３４は、電源制御部３３に、「プレ起動」状態への遷移を要求する（ステップＳ１０４）。電源制御部３３は、「プレ起動」状態に遷移させる（ステップＳ１０５）。
【００５７】
画像形成装置３は、印刷中に印刷状態（印刷ジョブの進捗状況など）を表示する場合、ジョブ制御部３４は、ＵＩ制御部３２に状態表示を要求し（ステップＳ１０６）、ＵＩ制御部３２は表示先決定部３５に表示デバイスを問い合わせる（ステップＳ１０７）。
【００５８】
表示先決定部３５は、設定に従って画像形成装置３を表示先と決定し、画像形成装置３に表示する旨の応答を返す（ステップＳ１０８）。
【００５９】
ＵＩ制御部３２は、電源制御部３３に、「起動」状態への遷移を要求する（ステップＳ１０９）。電源制御部３３は、「起動」状態に遷移させる（ステップＳ１１０）。そして、ＵＩ制御部３２は、印刷状態を表示させる（ステップＳ１１１）。
【００６０】
また、情報端末２の電源制御部２３は、所定時間内にＵＩ制御部２２の操作が行われない場合、「省エネ」状態に遷移する。
【００６１】
また、画像形成装置３の電源制御部３３は、所定時間内にＵＩ制御部３２の操作が行われない場合、ジョブ制御部３４にジョブの実行状態を問い合わせ、ジョブを実行中の場合には、電力状態を遷移させない。ジョブを実行中でない場合には、「省エネ」状態に遷移する。
【００６２】
印刷ジョブが終了した場合、ジョブ制御部３４は、ＵＩ制御部３２に正常または異常を示す終了結果の表示を要求する（ステップＳ１１２）。ＵＩ制御部３２は表示先決定部３５に表示デバイスを問い合わせる（ステップＳ１１３）。表示先決定部３５は、画像形成装置３に表示する旨の応答を返す（ステップＳ１１４）。ＵＩ制御部３２は、電源制御部３３に、「起動」状態への遷移を要求する（ステップＳ１１５）。電源制御部３３は、既に「起動」状態であるため、電力状態を遷移させない。そして、ＵＩ制御部３２は、終了結果を表示させる（ステップＳ１１６）。
【００６３】
なお、ステップＳ１０９〜Ｓ１１１の「起動」状態に遷移させ印刷状態を表示させる処理は、ステップＳ１０８の後に行う代わりに、ＵＩ制御部３２の操作が行われた際に行う構成としてもよい。それにより一層の節電効果を得られる。
【００６４】
図９は、図８のステップＳ１１６にて、終了結果が正常である場合の表示画面の例を示す図である。図９に示すように、画像形成装置３側の画面に表示され、情報端末２側の画面には表示されない。
【００６５】
図１０は、第１の実施形態に係る情報処理システム１で、情報端末２側に表示する場合のシーケンス図である。この場合、表示先決定部３５には、情報を表示させる装置として情報端末２が予め設定されている。
【００６６】
ステップＳ２０１〜Ｓ２０７は、情報端末２から印刷ジョブを送り、印刷ジョブを受信した画像形成装置３のＵＩ制御部３２が表示先決定部３５に表示デバイスを問い合わせるまでの処理である。ステップＳ２０１〜Ｓ２０７は、図８のステップＳ１０１〜Ｓ１０７の処理とそれぞれ同様であるため、その詳細な説明は省略する。
【００６７】
表示先決定部３５は、情報端末２に表示する旨の応答を返す（ステップＳ２０８）。ＵＩ制御部３２は、通信制御部３１を介して、情報端末２に印刷状態表示要求を送る（ステップＳ２０９）。
【００６８】
情報端末２の通信制御部２１が、受信した印刷状態表示要求をＵＩ制御部２２に通知し、（ステップＳ２１０）、ＵＩ制御部２２が電源制御部２３に、「起動」状態への遷移を要求する（ステップＳ２１１）。電源制御部２３は、「省エネ」状態となっていた場合は、「プレ起動」状態に遷移させ（ステップＳ２１２）、次に「起動」状態に遷移させる（ステップＳ２１３）。そして、ＵＩ制御部２２は、印刷状態を表示させる（ステップＳ２１４）。
【００６９】
印刷ジョブが終了した場合、ジョブ制御部３４は、ＵＩ制御部３２に正常または異常を示す終了結果の表示を要求する（ステップＳ２１５）。ＵＩ制御部３２は表示先決定部３５に表示デバイスを問い合わせる（ステップＳ２１６）。表示先決定部３５は、情報端末２に表示する旨の応答を返す（ステップＳ２１７）。ＵＩ制御部３２は、通信制御部３１を介して、情報端末２に終了結果表示要求を送る（ステップＳ２１８）。
【００７０】
情報端末２の通信制御部２１が、受信した終了結果表示要求をＵＩ制御部２２に通知し、（ステップＳ２１９）、ＵＩ制御部２２が電源制御部２３に、「起動」状態への遷移を要求する（ステップＳ２２０）。電源制御部２３は、既に「起動」状態であるため、電力状態を遷移させない。そして、ＵＩ制御部２２は、終了結果を表示させる（ステップＳ２２１）。
【００７１】
それにより、利用者が情報端末２を持ったまま移動するなどの多様な使われ方に応じて、画像形成装置３と情報端末２のどちらにジョブの状態情報を表示するかを決定できる。また、ジョブの状態情報を表示しない側は、「省エネ」や「プレ起動」の電力状態を維持するため、不要な電力の消費をなくすことができ、節電効果を得られる。
【００７２】
図１１は、図１０のステップＳ２１８にて、終了結果が正常である場合の表示画面の例を示す図である。図１０に示すように、情報端末２側の画面に表示され、画像形成装置３側の画面には表示されない。
【００７３】
＜第２の実施形態＞
第１の実施形態では、画像形成装置３にて情報を表示させる装置を決定していたが、第２の実施形態では、情報端末２にて情報を表示させる装置を決定する。
【００７４】
図１２は、第２の実施形態に係る情報端末２の機能構成図である。第１の実施形態と比較して、表示先決定部２４を備える点が異なる。
【００７５】
表示先決定部２４は、情報端末２及び画像形成装置３の中から、情報を表示させる装置を決定する。
【００７６】
図１３は、第２の実施形態に係る画像形成装置３の機能構成図である。第１の実施形態と比較して、表示先決定部３５を備えない点が異なる。
【００７７】
図１４は、第２の実施形態に係る情報処理システム１で、画像形成装置３側に表示する場合のシーケンス図である。画像形成装置３の表示先決定部３５が表示先を決定し、画像形成装置３のＵＩ制御部３２に印刷状態を表示させる代わりに、情報端末２の表示先決定部２４が表示先を決定し、画像形成装置３のＵＩ制御部３２に印刷状態を表示させる。つまり、図８のＳ１０６〜Ｓ１１１の処理を行う代わりに、図１４のＳ３０１〜Ｓ３０７の処理を行う。
【００７８】
画像形成装置３は、印刷中に印刷状態（印刷ジョブの進捗状況など）を表示する場合、ジョブ制御部３４は、ＵＩ制御部３２に状態表示を要求する（ステップＳ３０１）。ＵＩ制御部３２は、通信制御部３１を介して、情報端末２に表示デバイスを問い合わせる（ステップＳ３０２）。
【００７９】
情報端末２の通信制御部２１が、受信した問い合わせを表示先決定部２４に通知し、（ステップＳ３０３）、表示先決定部２４は、通信制御部２１を介し、画像形成装置３に表示する旨の応答を返す（ステップＳ３０４）。
【００８０】
画像形成装置３の通信制御部３１が、受信した応答をＵＩ制御部３２に通知し、（ステップＳ３０５）、ＵＩ制御部３２が、電源制御部３３に、「起動」状態への遷移を要求する（ステップＳ３０６）。電源制御部３３は、「起動」状態に遷移させる（ステップＳ３０７）。そして、ＵＩ制御部３２は、印刷状態を表示させる（ステップＳ３０８）。
【００８１】
図１５は、第２の実施形態に係る情報処理システム１で、情報端末２側に表示する場合のシーケンス図である。図１０のＳ２０６〜Ｓ２１４の代わりに、図１５のＳ４０１〜Ｓ４１２の処理を行う。
【００８２】
表示先決定部２４が表示先を決定するまでのステップＳ４０１〜Ｓ４０３の処理は、図１４のステップＳ３０１〜Ｓ３０３の処理とそれぞれ同様であるためその詳細な説明は省略する。表示先決定部２４は、通信制御部２１を介し、情報端末２に表示する旨の応答を返す（ステップＳ４０４）。
【００８３】
画像形成装置３の通信制御部３１が、受信した応答をＵＩ制御部３２に通知する（ステップＳ４０５）。
【００８４】
ステップＳ４０６〜Ｓ４１２は、ＵＩ制御部３２が、通信制御部３１を介して、情報端末２に印刷状態表示要求を送り、情報端末２のＵＩ制御部２２に印刷状態を表示させるまでの処理である。ステップＳ４０６〜Ｓ４１２は、図１０のステップＳ２０９〜Ｓ２１４の処理とそれぞれ同様であるため、その詳細な説明は省略する。
【００８５】
表示先決定部２４への設定は、第１の実施形態と同様、画像形成装置３側の画面または、情報端末２側の画面にて行えるようにしてもよい。画像形成装置３側の画面にて設定の操作が行われた場合、画像形成装置３のＵＩ制御部３２が、設定された情報を、通信制御部３１を介して情報端末２の通信制御部２１に通知し、通信制御部２１が、通知された設定情報を表示先決定部２４に設定させる。
【００８６】
第２の実施形態の構成により、第１の実施形態と同様、画像形成装置３と情報端末２のどちらにジョブの状態情報を表示するかを決定できる。また、ジョブの状態情報を表示しない側は、「省エネ」や「プレ起動」の電力状態を維持するため、不要な電力の消費をなくすことができ、節電効果を得られる。
【００８７】
＜第３の実施形態＞
第３の実施形態は、情報端末２または画像形成装置３が、情報端末２と画像形成装置３との間の距離に基づいて、情報端末２及び画像形成装置３の中から、情報を表示させる装置を決定する。以下では、第１の実施形態のように、画像形成装置３が表示先決定部３５を備える例について説明するが、第２の実施形態のように、情報端末２が表示先決定部２４を備えていてもよい。
【００８８】
図１６は、第３の実施形態に係る情報端末２のハードウェア構成図である。第１の実施形態と比較し、位置情報取得部２１０を備える点が異なる。
【００８９】
位置情報取得部２１０は、例えばＧＰＳ(Global Positioning System)や無線ＬＡＮ等を用いて、情報端末２の現在の位置情報を取得する。
【００９０】
図１７は、第３の実施形態に係る情報端末２の機能構成図である。第１の実施形態と比較し、距離判断部２５を備える点が異なる。
【００９１】
距離判断部２５は、予め登録された画像形成装置３の位置情報と、位置情報取得部２１０により取得した位置情報に基づき、情報端末２と画像形成装置３との間の距離Ｄを計算する。距離Ｄは、例えば以下の式により算出する。
【００９２】
距離Ｄ＝［（情報端末２の緯度−画像形成装置３の緯度）２＋（情報端末２の経度−画像形成装置３の経度）２］１／２
また、距離判断部２５は、通信制御部２１を介し、画像形成装置３に、情報端末２と画像形成装置３との間の距離を通知する。例えば、利用者からの操作に応じて画像形成装置３に印刷ジョブを送ってから、画像形成装置３より印刷完了を通知されてから所定時間（例えば３０秒）経過するまでの間、所定間隔（例えば５秒毎）で、通知する。
【００９３】
なお、画像形成装置３への距離の通知については、所定間隔で通知する代わりに、距離が所定の閾値（例えば２メートル）以下に変化した際、及び所定の閾値を超えるように変化した際に通知する構成としてもよい。
【００９４】
画像形成装置３の表示先決定部３５は、情報端末２から通知された情報端末２と画像形成装置３との間の距離が、所定の閾値（例えば２メートル）を超えた場合は「遠い」と判断し、所定の閾値以下の場合は「近い」と判断する。
【００９５】
図１８は、画像形成装置３の位置情報を登録する際の表示画面の一例を示す図である。図１８に示すように、情報端末２にて印刷を実行する際に、距離判断部２５に画像形成装置３の位置情報が登録されていない場合、印刷実行ボタン２１１の他に、位置情報登録ボタン２１２を情報端末２に表示し、画像形成装置３の位置情報の登録を促す。利用者が画像形成装置３の前に立ち、位置情報登録ボタン２１２を押すと、距離判断部２５に、位置情報取得部２１０から取得した現在の位置情報が、画像形成装置３の位置情報として登録される。なお、一旦登録した後は、次回の印刷時からは、位置情報登録ボタン２１２を非表示としてもよい。
【００９６】
図１９は、第３の実施形態に係る表示先決定部３５の処理のフローチャートである。
【００９７】
表示先決定部３５は、まず、所定期間内に、情報端末２から距離情報を受信したか判断し（ステップＳ５０１）、受信していない場合は（ステップＳ５０１でＮＯ）、画像形成装置３を表示先と決定する（ステップＳ５０２）。受信している場合は（ステップＳ５０１でＹＥＳ）、最後に受信した情報端末２と画像形成装置３との間の距離が「遠い」か判断する（ステップＳ５０３）。「遠い」と判断した場合は（ステップＳ５０３でＹＥＳ）、情報端末２を表示先と決定する（ステップＳ５０４）。そうでなければ（ステップＳ５０３でＮＯ）、画像形成装置３を表示先と決定する（ステップＳ５０２）。
【００９８】
図２０は、第３の実施形態に係る情報処理システム１で、情報端末２または画像形成装置３に表示する場合のシーケンス図である。
【００９９】
なお、情報端末２、画像形成装置３における「プレ起動」状態、「起動」状態への遷移は、図８や図１０と同様であるため、その詳細な説明は省略する。
【０１００】
情報端末２から印刷ジョブを送り、画像形成装置３のジョブ制御部３４により印刷ジョブを開始するまでの処理であるステップＳ６０１〜Ｓ６０５は、図８のステップＳ１０１〜Ｓ１０５の処理とそれぞれ同様であるためその説明を省略する。
【０１０１】
距離判断部２５は、現在の位置情報を取得し（ステップＳ６０６）、情報端末２と画像形成装置３との間の距離Ｄを計算し（ステップＳ６０７）、通信制御部２１を介し、画像形成装置３に、情報端末２と画像形成装置３との間の距離を通知する（ステップＳ６０８）。
【０１０２】
通信制御部３１は、通知された距離を表示先決定部３５に通知し（ステップＳ６０９）、表示先決定部３５は、通知された距離の情報を保存する（ステップＳ６１０）。
【０１０３】
画像形成装置３は、印刷中に印刷状態（印刷ジョブの進捗状況など）を表示する場合、ジョブ制御部３４は、ＵＩ制御部３２に状態表示を要求し（ステップＳ６１１）、ＵＩ制御部３２は表示先決定部３５に表示デバイスを問い合わせる（ステップＳ６１２）。表示先決定部３５が、図１９の処理により、表示デバイスを決定し、応答を返す（ステップＳ６１３）。図１９のステップＳ５０５の処理により、画像形成装置３に表示する旨の応答を返した場合、図８のステップＳ１０９〜Ｓ１１１と同様の処理により、ＵＩ制御部３２が、画像形成装置３側の画面に印刷状態を表示させる（ステップＳ６１４−１〜Ｓ６１６−１）。
【０１０４】
そして、ＵＩ制御部３２が、表示先決定部３５により決定された表示デバイスではない、他方の表示デバイスである情報端末２に、通信制御部３１を介して、非表示要求を送る（ステップＳ６１７−１）。情報端末２の通信制御部２１は、ＵＩ制御部２２に非表示要求を通知し（ステップＳ６１８−１）、ＵＩ制御部２２は、電源制御部２３に、「プレ起動」または「省エネ」状態への遷移を要求する（ステップＳ６１９−１）。電源制御部２３は、「プレ起動」または「省エネ」状態に遷移させる（ステップＳ６２０−１）。それにより、少なくとも表示部２０２がオフとなり、一層の節電効果を得られる。
【０１０５】
一方、図１９のステップＳ５０４の処理により、情報端末２に表示する旨の応答を返した場合、ＵＩ制御部３２が、電源制御部３３に、「プレ起動」状態への遷移を要求する（ステップＳ６１４−２）。電源制御部３３は、「プレ起動」状態に遷移させる（ステップＳ６１５−２）。それにより、表示部３０２への電力の供給が停止し、表示部がオフとなる。そして、図１０のステップＳ２０９〜Ｓ２１４と同様の処理により、情報端末２に印刷状態を表示させる（ステップＳ６１７−２〜Ｓ６２１−２）。
【０１０６】
なお、情報端末２側で距離を計算する代わりに、画像形成装置３の表示先決定部３５に、画像形成装置３の位置情報を登録しておき、表示先決定部３５が、情報端末２から受信した位置情報を用いて距離を計算するようにしてもよい。
【０１０７】
なお、情報端末２と画像形成装置３との間の距離が「遠い」から「近い」に変化した場合、利用者が、情報端末２の画面における状態表示により、印刷等のジョブの終了間近と判断して画像形成装置３に近づいて来たと推定できる。そのため、情報端末２と画像形成装置３との間の距離が所定の閾値以下に変化した場合に、画像形成装置３から情報端末２に非表示要求を送信する。そして、ＵＩ制御部２２が、ステップＳ６１９−１と同様に、「プレ起動」または「省エネ」状態への遷移を要求するようにしてもよい。それにより、距離判断部２５による距離の通知も停止するため、一層の節電効果を得られる。
【０１０８】
第３の実施形態の構成により、情報端末２と画像形成装置３との間の距離に基づいて、ジョブの状態情報を表示する装置を適切に決定できる。また、ジョブの状態情報を表示しない側は、「起動」の電力状態から「省エネ」や「プレ起動」の電力状態に遷移させることができるため、一層の節電効果を得られる。
【０１０９】
＜第４の実施形態＞
第３の実施形態では、情報端末２及び画像形成装置３の位置情報に基づいて、情報端末２と画像形成装置３との間の距離を算出していた。第４の実施形態では、画像形成装置３が、情報端末２または情報端末２の利用者が近くに存在していることを検知することにより、情報端末２と画像形成装置３との間の距離が近いことを検知する。以下では、第１の実施形態のように、画像形成装置３が表示先決定部３５を備える例について説明するが、第２の実施形態のように、情報端末２が表示先決定部２４を備えていてもよい。
【０１１０】
図２１は、第４の実施形態に係る画像形成装置３のハードウェア構成図である。第１の実施形態と比較し、検知部３０９を備える点が異なる。
【０１１１】
検知部３０９は、例えば人体検知センサであり、画像形成装置３の所定範囲内（例えば半径2メートル以内）に、情報端末２の利用者等の人が存在するか否かを検知する。
【０１１２】
図２２は、第４の実施形態に係る画像形成装置３の機能構成図である。第１の実施形態と比較し、距離判断部３６を備える点が異なる。
【０１１３】
距離判断部３６は、検知部３０９が検知すると、情報端末２と画像形成装置３との間の距離が「近い」と判断する。一方、検知部３０９が検知しない場合は、「遠い」と判断する。そして、判断結果を、表示先決定部３５に通知する。
【０１１４】
表示先決定部３５は、距離判断部３６から通知された情報端末２と画像形成装置３との間の距離に基づいて、情報端末２及び画像形成装置３の中から、情報を表示させる装置を決定する。
【０１１５】
図２３は、第４の実施形態に係る表示先決定部３５の処理のフローチャートである。
【０１１６】
表示先決定部３５は、まず、情報端末２と画像形成装置３との間の距離が「遠い」か判断し（ステップＳ７０１）、「遠い」と判断した場合は（ステップＳ７０１でＹＥＳ）、情報端末２を表示先と決定する（ステップＳ７０２）。「遠い」と判断しなかった場合は（ステップＳ７０１でＮＯ）、画像形成装置３を表示先と決定する（ステップＳ７０３）。
【０１１７】
なお、検知部３０９が情報端末２の利用者の存在を検知した場合に、情報端末２と画像形成装置３との間の距離が「近い」と判断する代わりに、次のようにしてもよい。情報端末２と画像形成装置３との間で、ＢＬＥ（Bluetooth（登録商標） Low Energy）、無線ＬＡＮ、ＮＦＣ(Near Field Communication)等の近距離無線通信を行う。そして、画像形成装置３が情報端末２から受信した近距離無線の信号強度が所定の閾値を超える場合に、情報端末２と画像形成装置３との間の距離が「近い」と判断する構成としてもよい。
【０１１８】
第４の実施形態の構成により、情報端末２と画像形成装置３との間の距離に基づいて、ジョブの状態情報を表示する装置を適切に決定できる。
【０１１９】
＜第５の実施形態＞
第５の実施形態は、第１の実施形態乃至第４の実施形態の表示先決定部３５または表示先決定部２４が、情報端末２のバッテリの残量に基づいて、情報端末２と画像形成装置３のどちらに、情報を表示させるかを決定する。以下では、第１の実施形態のように、画像形成装置３が表示先決定部３５を備える例について説明するが、第２の実施形態のように、情報端末２が表示先決定部２４を備えていてもよい。
【０１２０】
図２４は、第５の実施形態に係る情報端末２の機能構成図である。第１の実施形態と比較して、バッテリ２０８を備える点が異なる。
【０１２１】
バッテリ２０８は、電源２０６から供給された電力を充電し、電源２０６からの電力の供給が停止すると、操作部２０１、表示部２０２、通信Ｉ／Ｆ２０３、記憶装置２０４、及びＣＰＵ２０５に電力を供給し、また、個別に電力の供給量を下げたり停止させる。
【０１２２】
情報端末２の電源制御部２３は、電源２０６から電力を供給されている場合と、バッテリ２０８から電力を供給されており、かつバッテリ２０８の電圧が所定の閾値以上である場合に、電源状態が「通常」であると判断する。また、バッテリ２０８から電力を供給されており、かつバッテリ２０８の電圧が所定の閾値未満である場合に、電源状態が「低電力」であると判断する。
【０１２３】
また、電源制御部２３は、印刷等のジョブを通知する際、電源状態が変化した際、または所定間隔で、通信制御部２１を介して、画像形成装置３の表示先決定部３５に、電源状態を通知する。
【０１２４】
図２５は、第５の実施形態に係る表示先決定部３５の処理のフローチャートである。
【０１２５】
表示先決定部３５は、まず、所定期間内に、情報端末２の電源状態を受信したか判断し（ステップＳ８０１）、受信していない場合は（ステップＳ８０１でＮＯ）、画像形成装置３を表示先と決定する（ステップＳ８０２）。受信している場合は（ステップＳ８０１でＹＥＳ）、最後に受信した電源状態が「通常」でないか判断し（ステップＳ８０３）、「通常」でなければ（ステップＳ８０３でＹＥＳ）、画像形成装置３を表示先と決定する（ステップＳ８０２）。「通常」であれば（ステップＳ８０３でＮＯ）、情報端末２を表示先と決定する（ステップＳ８０４）。
【０１２６】
なお、第１の実施形態乃至第４の実施形態と同様に、設定または距離に基づいて表示先を決定し、決定した表示先が情報端末２である場合に、上記の電源状態に基づいて決定する処理を行うようにしてもよい。
【０１２７】
図２６は、第５の実施形態に係る情報処理システム１で、情報端末２側に表示する場合のシーケンス図である。
【０１２８】
情報端末２の電源制御部２３は、例えば、利用者からの操作に応じて画像形成装置３に印刷ジョブを送る際、通信制御部２１を介して、画像形成装置３に、電源状態を通知する（ステップＳ９０１）。画像形成装置３の通信制御部３１が、受信した電源状態を表示先決定部３５に通知する（ステップＳ９０２）。
【０１２９】
情報端末２から印刷ジョブを送り、印刷ジョブを受信した画像形成装置３が、情報端末２のＵＩ制御部２２に印刷状態を表示させるまでの処理であるステップＳ９０３〜Ｓ９１６は、図１０のステップＳ２０１〜Ｓ２１４の処理とそれぞれ同様である。そのため、その詳細な説明は省略する。
【０１３０】
情報端末２の電源制御部２３は、電源状態が「通常」から「低電力」に変化したため、通信制御部２１を介して、画像形成装置３に、電源状態を通知する（ステップＳ９１７）。画像形成装置３の通信制御部３１は、受信した電源状態を表示先決定部３５に通知する（ステップＳ９１８）。
【０１３１】
表示先決定部３５が表示先を決定し、画像形成装置３のＵＩ制御部３２は、印刷状態を表示させるまでの処理であるステップＳ９１９〜Ｓ９２４は、図８のステップＳ１０６〜Ｓ１１１の処理とそれぞれ同様であるため、その詳細な説明は省略する。
【０１３２】
第５の実施形態の構成により、情報端末２のバッテリの残量に基づいて、ジョブの状態情報を表示する装置を適切に決定できる。そのため、例えば、情報端末２に状態情報を表示しているときであっても、情報端末２のバッテリ残量が少なくなった場合は、情報端末２の画面をオフとし、画像形成装置３に状態情報を表示することにより、情報端末２の節電効果を向上させることができる。
【０１３３】
＜第６の実施形態＞
第６の実施形態は、第１の実施形態乃至第５の実施形態の表示先決定部３５または表示先決定部２４が、ジョブの種別に基づいて、情報端末２と画像形成装置３のどちらに、情報を表示させるかを決定する。以下では、第１の実施形態のように、画像形成装置３が表示先決定部３５を備える例について説明するが、第２の実施形態のように、情報端末２が表示先決定部２４を備えていてもよい。
【０１３４】
情報端末２の通信制御部２１は、画像形成装置３にジョブを送信する際、ジョブに情報端末２または情報端末２の利用者のＩＤを付加して送信する。
【０１３５】
図２７は、ジョブ種別／表示先設定情報の一例を示す図である。表示先決定部３５は、図２７に示すジョブ種別／表示先設定情報を予め記憶しておく。ジョブ種別／表示先設定情報には、情報端末２または情報端末２の利用者の識別情報（ＩＤ）に対応付けて、プリント、コピー、スキャン等のジョブの種別毎に、表示先の装置が記憶される。そして、ジョブに付加されたＩＤと、ジョブの種別とに対応する表示先の装置をジョブ種別表示先設定情報から取得し、表示先として決定する。
【０１３６】
なお、ジョブに付加されたＩＤと、ジョブの種別とに対応する表示先の装置との組が、ジョブ種別表示先設定情報に記憶されていない場合は、第１の実施形態乃至第５の実施形態と同様の処理により、表示先を決定するようにしてもよい。
【０１３７】
また、ジョブ種別／表示先設定情報に基づいて決定した表示先が情報端末２である場合に、第５の実施例と同様に、情報端末２のバッテリの残量に基づく決定処理を行うようにしてもよい。
【０１３８】
ジョブ種別／表示先設定情報は、画像形成装置３または情報端末２から利用者が設定できるようにしてもよい。
【０１３９】
図２８は、情報を表示させる装置を設定する際のシーケンス図である。
【０１４０】
情報端末２が表示先決定部２４を備え、情報端末２において設定のための操作が行われた場合について説明する。
【０１４１】
情報端末２において、利用者から、情報を表示させる装置を指定する操作が行われる（ステップＳ１００１）。ＵＩ制御部２２は、表示先決定部２４に、指定された装置の設定要求を通知する（ステップＳ１００２−１）。表示先決定部２４は、通知された設定要求に基づいて、図２７に示すジョブ種別／表示先設定情報を設定する（ステップＳ１００３−１）。
【０１４２】
画像形成装置３が表示先決定部３５を備え、情報端末２において設定のための操作が行われた場合について説明する。
【０１４３】
情報端末２において、利用者から、情報を表示させる装置を指定する操作が行われる（ステップＳ１００１）。ＵＩ制御部２２は、通信制御部２１を介して、画像形成装置３に設定要求を送る（ステップＳ１００２−２）。
【０１４４】
画像形成装置３の通信制御部３１は、受信した設定要求を表示先決定部３５に通知し、（ステップＳ１００３−２）、表示先決定部３５は、通知された設定要求に基づいて、図２７に示すジョブ種別／表示先設定情報を設定する（ステップＳ１００４−２）。
【０１４５】
画像形成装置３が表示先決定部３５を備え、画像形成装置３において設定のための操作が行われた場合について説明する。
【０１４６】
画像形成装置３において、利用者から、情報を表示させる装置を指定する操作が行われる（ステップＳ１１０１）。ＵＩ制御部３２は、表示先決定部３５に、指定された装置の設定要求を通知する（ステップＳ１１０２−１）。表示先決定部３５は、通知された設定要求に基づいて、図２７に示すジョブ種別／表示先設定情報を設定する（ステップＳ１１０３−１）。
【０１４７】
情報端末２が表示先決定部２４を備え、画像形成装置３において設定のための操作が行われた場合について説明する。
【０１４８】
画像形成装置３において、利用者から、情報を表示させる装置を指定する操作が行われる（ステップＳ１１０１）。ＵＩ制御部３２は、通信制御部３１を介して、情報端末２に設定要求を送る（ステップＳ１１０２−２）。
【０１４９】
情報端末２の通信制御部２１は、受信した設定要求を表示先決定部２４に通知し、（ステップＳ１１０３−２）、表示先決定部２４は、通知された設定要求に基づいて、図２７に示すジョブ種別／表示先設定情報を設定する（ステップＳ１１０４−２）。
【０１５０】
図２９は、利用者が、画像形成装置３側の画面にて、情報を表示させる装置を設定する際の表示画面の例である。
【０１５１】
図３０は、利用者が、情報端末２側の画面にて、情報を表示させる装置を設定する際の表示画面の例である。
【０１５２】
第６の実施形態の構成により、ジョブの種別に基づいて、ジョブの状態情報を表示する装置を適切に決定できる。
【０１５３】
＜第７の実施形態＞
第７の実施形態は、第１の実施形態乃至第６の実施形態の表示先決定部３５または表示先決定部２４が、表示する情報の内容に基づいて、情報端末２と画像形成装置３のどちらに情報を表示させるかを決定する。以下では、第１の実施形態のように、画像形成装置３が表示先決定部３５を備える例について説明するが、第２の実施形態のように、情報端末２が表示先決定部２４を備えていてもよい。
【０１５４】
図３１は、表示先決定部３５に設定される、表示画面指示リストの一例を示す図である。表示画面指示リストは、表示するジョブの状態情報の内容毎に、情報端末２及び画像形成装置３のうち、情報を表示させる装置の設定を表す。図３０に示す例では、印刷ジョブの進行状況は、利用者がすぐに見られるように情報端末２に表示するように設定している。また、印刷ジャムが発生したことを示すエラーメッセージは、利用者が見られるように情報端末２に表示するとともに、他の利用者が画像形成装置３を使用できないように画像形成装置３にも表示するように設定している。また、印刷ジャムを解決する手順を示すメッセージは、ジャムを取り除く際は画像形成装置３の前に行く必要があるため、画像形成装置３に表示するように設定している。
【０１５５】
表示画面指示リストは、情報端末２と画像形成装置３のどちらから設定できるように構成してもよい。
【０１５６】
なお、表示画面指示リストは、ｃｓｖファイルのような表形式やｘｍｌ文書形式等で設定を記述できるようにしてもよい。
【０１５７】
なお、表示する情報の内容が表示画面指示リストに設定されていない場合は、第１の実施形態乃至第６の実施形態と同様の処理により、表示先を決定するようにしてもよい。
【０１５８】
情報端末２が表示先決定部２４を備える場合は、以下のような構成としてもよい。図１５のステップＳ３０１で、ジョブ制御部３４がＵＩ制御部３２に、表示する情報の内容を通知して状態表示を要求する。そして、ステップＳ３０２、Ｓ３０３で、ＵＩ制御部３２が表示先決定部２４に、表示する情報の内容を通知して表示デバイスを問い合わせる。
【０１５９】
第７の実施形態の構成により、表示する情報の内容に基づいて、ジョブの状態情報を表示する装置を適切に決定できる。
【０１６０】
なお、上述した実施形態における、情報端末２と画像形成装置３とが接続されたシステム構成は一例であり、用途や目的に応じて様々なシステム構成例があることは言うまでもない。開示の技術は、複合機等の画像形成装置に限定されず、プロジェクター、ビデオ再生機器、監視カメラ等の情報処理装置に適用することも可能である。その場合、投影、再生、撮影等のジョブの状態情報を、情報端末と情報処理装置のいずれの画面に表示するかを決定する。
【０１６１】
上述した各実施形態における構成を、適宜、組み合わせて用いることも可能である。例えば、第３の実施形態の図２０におけるステップＳ６１７−１の情報端末２に非表示要求を送る処理を、第１の実施形態の図８におけるステップＳ１１１の後に行う構成にしてもよい。それにより、ジョブの状態情報を表示しない側は、「起動」の電力状態から「省エネ」や「プレ起動」の電力状態に遷移させることができるため、一層の節電効果を得られる。
【０１６２】
以上に説明した情報端末２、画像形成装置３の各部の機能は、ＣＰＵ（プロセッサ）２０５、３０５が、例えば記憶装置２０４、３０４（ＨＤＤ、ＲＯＭ、フラッシュメモリ等を含む）に格納されたプログラムを実行することにより実現され得る。プログラムは例えば記録媒体の配布やネットワークからのダウンロードなどによって提供される。記録媒体は、ＣＤ−ＲＯＭ（Compact Disc Read Only Memory）、フレキシブルディスク、光磁気ディスク等の様に情報を光学的、電気的或いは磁気的に記録する記録媒体、ＲＯＭ（Read Only Memory）、フラッシュメモリ等の様に情報を電気的に記録する半導体メモリ等、様々なタイプの記録媒体を用いることができる。
【０１６３】
また、情報端末２、画像形成装置３の各部の機能のうちの少なくとも一部を、専用のハードウェア回路（例えば半導体集積回路等）で実現してもよい。
【符号の説明】
【０１６４】
１  情報処理システム
２  情報端末
２１  通信制御部
２２  ＵＩ制御部（「制御部」の一例）
２３  電源制御部
２４  表示先決定部（「決定部」の一例）
２５  距離判断部
３  画像形成装置
３１  通信制御部
３２  ＵＩ制御部（「制御部」の一例）
３３  電源制御部
３４  ジョブ制御部
３５  表示先決定部（「決定部」の一例）
３６  距離判断部
【先行技術文献】
【特許文献】
【０１６５】
【特許文献１】特開２００２−２９６９８３号公報
【図１】
2020013606.tif 000003
【図２】
2020013606.tif 000004
【図３】
2020013606.tif 000005
【図４】
2020013606.tif 000006
【図５】
2020013606.tif 000007
【図６】
2020013606.tif 000008
【図７】
2020013606.tif 000009
【図８】
2020013606.tif 000010
【図９】
2020013606.tif 000011
【図１０】
2020013606.tif 000012
【図１１】
2020013606.tif 000013
【図１２】
2020013606.tif 000014
【図１３】
2020013606.tif 000015
【図１４】
2020013606.tif 000016
【図１５】
2020013606.tif 000017
【図１６】
2020013606.tif 000018
【図１７】
2020013606.tif 000019
【図１８】
2020013606.tif 000020
【図１９】
2020013606.tif 000021
【図２０】
2020013606.tif 000022
【図２１】
2020013606.tif 000023
【図２２】
2020013606.tif 000024
【図２３】
2020013606.tif 000025
【図２４】
2020013606.tif 000026
【図２５】
2020013606.tif 000027
【図２６】
2020013606.tif 000028
【図２７】
2020013606.tif 000029
【図２８】
2020013606.tif 000030
【図２９】
2020013606.tif 000031
【図３０】
2020013606.tif 000032
【図３１】
2020013606.tif 000033
【手続補正書】
【提出日】令和1年10月25日(2019.10.25)
【手続補正１】
【補正対象書類名】特許請求の範囲
【補正対象項目名】全文
【補正方法】変更
【補正の内容】
【特許請求の範囲】
【請求項１】
情報端末と、
前記情報端末から受信したジョブを実行する画像形成装置と、
を有する情報処理システムであって、
前記ジョブの状態を示す状態情報を表示する際に、前記状態情報を、前記情報端末と前記画像形成装置のどちらに表示するかを、予め前記情報端末の画面で受け付けた設定に基づいて決定する決定部と、
前記決定された一方に、前記状態情報を表示する制御部と、
を備える情報処理システム。
【請求項２】
前記情報端末の画面で受け付けた前記設定は、前記状態情報を前記画像形成装置の画面では表示せず、前記情報端末の画面で表示する設定である、
請求項１記載の情報処理システム。
【請求項３】
前記情報端末は、
前記設定に応じて前記画像形成装置から受信した要求に基づいて起動状態へ遷移し、前記画像形成装置から受信した印刷状態を表示する、
請求項１または２記載の情報処理システム。
【請求項４】
前記画像形成装置で印刷ジョブが終了した場合、前記設定に応じて、正常または異常を示す終了結果を前記情報端末に表示させる、
請求項１から３のいずれか一項に記載の情報処理システム。
【請求項５】
前記制御部は、
前記状態情報を表示する一方が決定されると、他方の表示部をオフに制御する、
請求項１から４のいずれか一項に記載の情報処理システム。
【請求項６】
前記情報端末または前記画像形成装置は、
前記情報端末と前記画像形成装置との間の距離を判断する距離判断部を備え、
前記決定部は、
前記情報端末と前記画像形成装置との間の距離に基づいて、前記状態情報を前記情報端末と前記画像形成装置のどちらに表示するかを決定する、
請求項１乃至５のいずれか一項に記載の情報処理システム。
【請求項７】
前記情報端末は、
現在の位置情報を取得する位置情報取得部を備え、
前記距離判断部は、
前記位置情報取得部により取得された位置情報と、予め設定されている前記画像形成装置の位置情報とに基づいて、前記距離を判断する、
請求項６記載の情報処理システム。
【請求項８】
前記画像形成装置は、
前記情報端末または前記情報端末の利用者を検知する検知部を備え、
前記距離判断部は、
前記検知部により検知した結果に基づいて、前記距離を判断する、
請求項６記載の情報処理システム。
【請求項９】
前記決定部は、
前記情報端末の電力の残量に基づいて、前記状態情報を前記情報端末と前記画像形成装置のどちらに表示するかを決定する、
請求項１乃至８のいずれか一項に記載の情報処理システム。
【請求項１０】
情報端末と、前記情報端末から受信したジョブを実行する画像形成装置とを有する情報処理システムにおける表示制御方法であって、
前記ジョブの状態を示す状態情報を表示する際に、前記状態情報を、前記情報端末と前記画像形成装置のどちらに表示するかを、予め前記情報端末の画面で受け付けた設定に基づいて決定するステップと、
前記決定された一方に、前記状態情報を表示するステップと、
を有する表示制御方法。
【請求項１１】
情報端末から受信したジョブを実行する画像形成装置であって、
前記ジョブの状態を示す状態情報を表示する際に、前記状態情報を、前記情報端末と前記画像形成装置のどちらに表示するかを、予め前記情報端末の画面で受け付けた設定に基づいて決定する決定部と、
前記決定された一方に、前記状態情報を表示する制御部と、
を備える画像形成装置。
【手続補正３】
【補正対象書類名】明細書
【補正対象項目名】０００１
【補正方法】変更
【補正の内容】
【０００１】
本発明は、情報処理システム、表示制御方法、及び画像形成装置に関する。
【手続補正４】
【補正対象書類名】明細書
【補正対象項目名】０００６
【補正方法】変更
【補正の内容】
【０００６】
情報端末と、前記情報端末から受信したジョブを実行する画像形成装置と、を有する情報処理システムを提供する。この情報処理システムにおいて、前記ジョブの状態を示す状態情報を表示する際に、前記状態情報を、前記情報端末と前記画像形成装置のどちらに表示するかを、予め前記情報端末の画面で受け付けた設定に基づいて決定する決定部と、前記決定された一方に、前記状態情報を表示する制御部と、を備える。